(57)【要約】【課題】遊技機の実質的な稼働率の低下を防止すること。【解決手段】パチンコ機１は、始動口２１に遊技球が入賞し、リーチの演出表示が行われている間、中央役物２２に備えられたハネ２２ｂが所定の開閉動作を行い、ハネ２２ｂが開いている間に中央役物２２に入った遊技球は、始動口２１の直上に設けられた排出口２２ｇから排出される。そして、排出された遊技球は、ほぼ確実に始動口２１に入賞し、保留球としてカウントされる。したがって、遊技者は、リーチとなった場合にも、保留球を増加させようとするため遊技球の発射を停止することがなく、遊技機の実質的な稼働率が低下し、遊技店に不利益をもたらすことを回避できる。また、リーチ中にも遊技者に利益をもたらす遊技が行われることから、遊技者にとって、リーチとなった後の遊技興趣が低下する事態を避けることができる。【選択図】　　　　図２
2004135825.tif 000002
【特許請求の範囲】
【請求項１】
入賞を契機とする抽選に基づいて、遊技者に有利な状態に移行するか否かの演出表示を行い、遊技者に有利な状態に所定割合で移行する遊技機であって、
前記演出表示のうち、前記遊技者に有利な状態に、より高い割合で移行する旨を示す特殊演出表示が行われている間に、遊技球が入球可能となる入球口を含み、
該入球口に遊技球が入球したことに対応して、遊技者に所定の利益を与えることを特徴とする遊技機。
【請求項２】
可動部材によって遊技球の入球の可否を切換え可能な前記入球口を備える中央役物を含み、
通常の遊技状態において、前記入球口の可動部材を遊技球が入球不可能な状態とし、前記特殊演出表示が行われている間に、前記入球口の可動部材を遊技球が入球可能な状態とし、
前記中央役物は、前記入球口から内部に入球した遊技球を、所定入賞口に入球容易な領域へ誘導することを特徴とする請求項１記載の遊技機。
【請求項３】
前記中央役物は、内部に入球した遊技球の進路を振り分ける振分装置を備え、振分装置によって振り分けられた遊技球の一部を、前記所定入賞口に入球容易な領域へ誘導することを特徴とする請求項２記載の遊技機。
【請求項４】
前記特殊演出表示は、リーチの演出表示であり、前記中央役物は、前記入球口から内部に入球した遊技球を、入賞を契機として大当たりの抽選が行われる始動口の上方に誘導可能であることを特徴とする請求項２または３記載の遊技機。
【発明の詳細な説明】
【０００１】
【発明の属する技術分野】
本発明は、入賞を契機とする抽選に基づいて、遊技者に有利な遊技状態を発生させる遊技機に関する。
【０００２】
【従来の技術】
従来、パチンコ機等の遊技機において、始動口への遊技球の入賞を契機として、大当たりを発生させるものが知られている。
このような遊技機においては、始動口に遊技球が入賞することにより、大当たりの抽選が行われ、その結果が特別図柄表示装置に演出表示されるものが一般的である。
【０００３】
ここで、従来の遊技機において、始動口に遊技球が入り易い状態とするために、中央役物等にいわゆるワープ機能を備えたものが知られている。ワープ機能とは、例えば、中央役物の上部から遊技球を取り込み、中央役物内部を通過させて、始動口の上方から遊技球を排出するといったように、遊技球を特別な経路によって所定の個所に誘導する機能である。
【０００４】
ワープ機能を備えた遊技機の例としては、特開平６−２６９５４３号公報に記載された遊技機が挙げられる。
なお、本号公報に記載された遊技機は、始動口（特定入賞口）への入賞間隔を簡単に調整可能で、遊技者の興趣が薄れることなく、かつ、遊技店側の不利益が増大しないものである。
【０００５】
ところで、上述のような従来の遊技機において、始動口に遊技球が入賞すると、抽選の結果に応じて、リーチの演出表示が行われる。
そして、リーチとなった場合、大当たりとなる可能性が高まることから、遊技者は、遊技球の発射を一時的に停止し、大当たりとなった後に遊技球を発射しようとする。
【０００６】
【特許文献１】
特開平６−２６９５４３号公報
【０００７】
【発明が解決しようとする課題】
しかしながら、リーチとなった場合に、遊技者が遊技球の発射を停止すると、その間、遊技球の投入が行われないことから、遊技機の実質的な稼働率が低下し、遊技店に不利益をもたらすこととなっていた。
また、遊技者にとっても、リーチとなった後の遊技興趣が低下することとなっていた。
本発明の課題は、遊技機の実質的な稼働率の低下を防止することである。
【０００８】
【課題を解決するための手段】
以上の課題を解決するため、請求項１記載の発明は、
入賞を契機とする抽選に基づいて、遊技者に有利な状態（例えば、大当たり等）に移行するか否かの演出表示（例えば、図柄の変動表示等）を行い、遊技者に有利な状態に所定割合で移行する遊技機であって、前記演出表示のうち、前記遊技者に有利な状態に、より高い割合で移行する旨を示す特殊演出表示（例えば、リーチの演出表示等）が行われている間に、遊技球が入球可能となる入球口（例えば、図２の中央役物２２のハネ２２ｂが開閉することにより形成される入り口）を含み、該入球口に遊技球が入球したことに対応して、遊技者に所定の利益を与えることを特徴としている。
【０００９】
請求項２記載の発明は、
請求項１記載の遊技機であって、
可動部材（例えば、図２のハネ２２ｂ）によって遊技球の入球の可否を切換え可能な前記入球口を備える中央役物（例えば、図２の中央役物２２）を含み、通常の遊技状態において、前記入球口の可動部材を遊技球が入球不可能な状態とし、前記特殊演出表示が行われている間に、前記入球口の可動部材を遊技球が入球可能な状態（例えば、ハネ２２ｂが開閉動作される状態）とし、前記中央役物は、前記入球口から内部に入球した遊技球を、所定入賞口に入球容易な領域（例えば、始動口２１の直上に位置する排出口２２ｇ）へ誘導することを特徴としている。
【００１０】
請求項３記載の発明は、
請求項２記載の遊技機であって、
前記中央役物は、内部に入球した遊技球の進路を振り分ける振分装置（例えば、図２の回転盤２２ｄ）を備え、振分装置によって振り分けられた遊技球の一部を、前記所定入賞口に入球容易な領域へ誘導することを特徴としている。
【００１１】
請求項４記載の発明は、
請求項２または３記載の遊技機であって、
前記特殊演出表示は、リーチの演出表示であり、前記中央役物は、前記入球口から内部に入球した遊技球を、入賞を契機として大当たりの抽選が行われる始動口の上方に誘導可能であることを特徴としている。
【００１２】
本発明によれば、特殊演出表示が行われている間、入球口が入球可能な状態となり、入球口に遊技球が入ることにより、遊技者は所定の利益を得ることができる。例えば、入球口に入球した遊技球は、始動口の直上に設けられた排出口から排出される。そして、排出された遊技球は、ほぼ確実に始動口に入賞し、保留球としてカウントされるといった利益が与えられる。
【００１３】
したがって、遊技者は、特殊演出表示が行われている場合にも、所定の利益を得ようとし、例えば、保留球を増加させようとするため遊技球の発射を停止することがなく、遊技機の実質的な稼働率が低下し、遊技店に不利益をもたらすことを回避できる。
また、特殊演出表示中にも遊技者に利益をもたらす遊技が行われることから、遊技者にとって、特殊演出表示中の遊技興趣が低下する事態を避けることができる。
【００１４】
【発明の実施の形態】
以下、図を参照して本発明に係る遊技機の実施の形態を詳細に説明する。
図１は、本発明を適用したパチンコ機１の遊技盤面１０を示す図である。図１において、不図示の発射機構から発射された遊技球は、ガイドレール１１に案内されて、遊技盤面１０内の上方に放出される。そして、遊技球は、風車１２、飾り１３，１４および不図示の釘等に接触して移動方向を変化されながら、一部は、通過型チャッカ１５，１６、入賞口１７〜２０あるいは始動口２１に入る。一方、通過型チャッカ１５，１６、入賞口１７〜２０あるいは始動口２１に入らなかった遊技球は、遊技盤面１０下部に設けられたアウト口２４に入る。
【００１５】
また、入賞口１７〜２０に遊技球が入った場合、所定数の賞球が払い戻され、始動口２１に遊技球が入った場合、所定数の賞球が払い戻された上、大当たりの抽選が行われる。そして、遊技盤面１０の中央に設けられた中央役物２２の特別図柄表示装置２２ａが、大当たりの抽選結果を演出表示する。
このとき、抽選結果が、リーチの演出表示を行うものである場合、リーチの演出表示が行われている間、中央役物２２のハネ２２ｂが所定時間間隔で所定回数開閉される。
【００１６】
例えば、ハネ２２ｂの開閉動作として、リーチを構成している図柄の種類に応じてハネ２２ｂが開状態となっている時間を変化させたり、特定種類のリーチ（スーパーリーチ等）となった場合に、ハネ２２ｂが開状態となっている時間を変化させたりすることが可能である。
また、通常は、リーチの演出表示が開始されることを条件として、ハネ２２ｂの開閉動作が行われることとし、リーチの予告を行う場合に、図柄の変動表示を開始する際、ハネ２２ｂを予め開閉動作させることが可能である。
【００１７】
さらに、抽選結果が大当たりである場合、大入賞口２３が所定時間開放され、大入賞口２３に遊技球が入ると、所定数の賞球が払い戻される。この大入賞口２３の開放動作は、１回の大当たりについて所定回数繰り返され、最大で例えば１５回（１５ラウンド）繰り返される。
ここで、中央役物２２の構成について説明する。
【００１８】
図２は、中央役物２２の構成を示す図である。
中央役物２２は、抽選結果を演出表示するための特別図柄表示装置２２ａおよび遊技球が内部に進入するための入り口を備え、この入り口は、通常、ハネ２２ｂにより閉鎖され、遊技球が進入不可能な状態となっている。一方、リーチの演出表示が開始されると、ハネ２２ｂが所定の開閉動作を行い、遊技球が入り口から中央役物２２に進入可能な状態となる。
【００１９】
また、中央役物２２内部には、中央役物２２に入賞した遊技球を回転盤２２ｄへと誘導する誘導路２２ｃが設けられている。
そして、ハネ２２ｂが開閉されることにより中央役物２２内に進入した遊技球は、誘導路２２ｃを通過し、回転盤２２ｄ付近に排出される。
図３は、中央役物２２における回転盤２２ｄ付近の拡大図である。
【００２０】
回転盤２２ｄは、１つの保持穴２２ｅと、２つのはずれ穴２２ｆとを備えており、誘導路２２ｃから排出された遊技球を回転しながら保持穴２２ｅあるいははずれ穴２２ｆのいずれかに捉える。
はずれ穴２２ｆに捉えられた遊技球は、遊技盤面１０裏側からアウト球として排出され、保持穴２２ｅに捉えられた遊技球は、回転盤２２ｄが回転することにより、排出口２２ｇに誘導される。
【００２１】
なお、回転盤２２ｄの構成として、１つの保持穴２２ｅと、２つのはずれ穴２２ｆとを備える場合の他、１つまたは複数の保持穴２２ｅのみを備えることとしてもよい。
このような構成とすることにより、ハネ２２ｂが開放された際に入球した遊技球は、排出口２２ｇに誘導され、ほぼ確実に始動口２１に入賞することとなる。したがって、ハネ２２ｂが開閉動作されることにより、遊技者に対し、始動口２１に遊技球が入球することへの期待をより高く抱かせることができる。
【００２２】
排出口２２ｇは、中央役物２２から遊技盤面１０に遊技球を排出するための穴であり、始動口２１の直上に配設されている。
したがって、排出口２２ｇから排出された遊技球は、ほぼ確実に、始動口２１に入賞し、保留球のメモリを“１”カウントアップさせる。
次に、パチンコ機１の制御系統について説明する。
【００２３】
図４は、パチンコ機１の制御系統を示すブロック図である。図４において、パチンコ機１は、主制御部１００への信号の入力を制御する入力ポート１０４を含んで構成されている。この入力ポート１０４には、特別図柄始動スイッチ１０１、普通図柄始動スイッチ１０２および大入賞口スイッチ１０３からの各種の信号が入力されている。そして、これらの各信号が入力ポート１０４を介して主制御部１００に入力されることとなる。
【００２４】
なお、主制御部１００は、ＲＯＭ（Ｒｅａｄ　Ｏｎｌｙ　Ｍｅｍｏｒｙ）１１５とＲＡＭ（Ｒａｎｄｏｍ　Ａｃｃｅｓｓ　Ｍｅｍｏｒｙ）１１６とを含んで構成されている。このＲＯＭ１１５には、パチンコ機１の各部に対するコマンドデータが格納されたコマンドデータテーブルが記憶されている。
また、パチンコ機１は、主制御部１００からの出力信号を入力とし、それらの信号をパチンコ機１内の各部に伝達する出力ポート１０５を含んで構成されている。この出力ポート１０５から出力される信号は、可動片ソレノイド１０６、回転盤用モータ１０７、特別図柄表示装置２２ａ、ランプ表示装置１０８、効果音発生装置１０９、普通図柄表示装置１１０、始動口用ソレノイド１１１および大入賞口用ソレノイド１１２等に伝達される。
【００２５】
なお、主制御部１００およびリセット回路１１３は、電源回路１１４によって電源が供給されており、また、主制御部１００は、リセット回路１１３によってリセットされる。
次に、パチンコ機１の動作について説明する。
図５は、パチンコ機１のメインフローを示す図である。パチンコ機１は、稼動中、図５に示すメインフローに基づく処理を常に実行している。
【００２６】
図５において、メインフローに基づく処理が開始されると、パチンコ機１は、電源が初期投入された状態であるか否かの判定を行う（ステップＳ１）。
ステップＳ１において、電源が初期投入された状態でないと判定した場合、パチンコ機１は、特別図柄始動スイッチ１０１の状態をチェックし（ステップＳ２）、特別図柄始動スイッチ１０１の状態が異常であるか否かの判定を行う（ステップＳ３）。
【００２７】
ステップＳ３において、特別図柄始動スイッチ１０１の状態が異常であると判定した場合、パチンコ機１は、所定のエラー処理を行い（ステップＳ４）、一方、特別図柄始動スイッチ１０１の状態が異常でないと判定した場合、パチンコ機１は、デフォルトのデモ画面を表示するといった図柄制御処理を実行する（ステップＳ５）。
【００２８】
また、ステップＳ１において、電源が初期投入された状態であると判定した場合、パチンコ機１は、パチンコ機１の各部を初期化する処理を行う（ステップＳ６）。
ステップＳ５およびステップＳ６の後、パチンコ機１は、遊技制御処理（後述）を実行し（ステップＳ７）、続いて、制御乱数更新処理（後述）を実行する（ステップＳ８）。
【００２９】
そして、パチンコ機１は、ステップＳ７の処理に移行し、ステップＳ７およびステップＳ８の処理を繰り返す。
次に、図５に示すメインフローにおいて実行される遊技制御処理について説明する。
図６は、パチンコ機１が実行する遊技制御処理を示すフローチャートである。
【００３０】
図６において、遊技制御処理が開始されると、パチンコ機１は、特別図柄表示装置２２ａが図柄を変動表示中であるか否かの判定を行い（ステップＳ１０１）、図柄を変動表示中であると判定した場合、ステップＳ１１９の処理に移行する。
一方、ステップＳ１０１において、特別図柄表示装置２２ａが図柄を変動表示中でないと判定した場合、パチンコ機１は、保留球の数が“１”以上であるか否かの判定を行う（ステップＳ１０２）。
【００３１】
ステップＳ１０２において、保留球の数が“１”以上でないと判定した場合、パチンコ機１は、ステップＳ１１９の処理に移行し、一方、保留球の数が“１”以上であると判定した場合、特別図柄表示装置２２ａに図柄を変動表示させる図柄変動開始処理を実行する（ステップＳ１０３）。
次いで、パチンコ機１は、始動口２１に遊技球が入賞した際の抽選において発生させた乱数値を読み出し（ステップＳ１０４）、読み出した乱数が大当たりに対応する値であるか否かの判定を行う（ステップＳ１０５）。
【００３２】
ステップＳ１０５において、読み出した乱数が大当たりに対応する値でないと判定した場合、パチンコ機１は、はずれに対応する図柄を選択し（ステップＳ１０６）、ステップＳ１１１の処理に移行する。
一方、ステップＳ１０５において、読み出した乱数が大当たりに対応する値であると判定した場合、パチンコ機１は、所定の数値範囲（例えば、「０」〜「９９９」）で循環的にカウントを行う乱数カウンタから乱数値を読み出し（ステップＳ１０７）、乱数カウンタの乱数値が奇数であるか否かの判定を行う（ステップＳ１０８）。
【００３３】
ステップＳ１０８において、乱数カウンタの乱数値が奇数でないと判定した場合、パチンコ機１は、大当たりの終了後に低確率で大当たりが発生する低確率状態に移行する旨を示す低確率移行図柄を選択し（ステップＳ１０９）、ステップＳ１１１の処理に移行する。
一方、ステップＳ１０８において、乱数カウンタの乱数値が奇数であると判定した場合、パチンコ機１は、大当たりの終了後に高確率で大当たりが発生する高確率状態に移行する旨を示す高確率移行図柄を選択する（ステップＳ１１０）。
【００３４】
ステップＳ１０６、ステップＳ１０９およびステップＳ１１０の後、パチンコ機１は、リーチの演出表示を行う場合、その間、ハネ２２ｂを開閉動作させ、リーチの演出表示を行わない場合、ハネ２２ｂを開閉動作させない処理（可動片処理）を実行する（ステップＳ１１１）。
そして、パチンコ機１は、特別図柄表示装置２２ａに所定の図柄を停止表示させる図柄変動停止処理を実行し（ステップＳ１１２）、保留球の数を“１”減ずる（ステップＳ１１３）。
【００３５】
次いで、パチンコ機１は、確率変動状態であるか否か、即ち、高確率状態であるか否かの判定を行い（ステップＳ１１４）、確率変動状態でないと判定した場合、ステップＳ１１９の処理に移行する。
一方、ステップＳ１１４において、確率変動状態であると判定した場合、パチンコ機１は、確率変動状態となった回数を示す変動回数カウンタを“１”加算し（ステップＳ１１５）、変動回数カウンタが示す変動回数が、予定されている変動回数以上となっているか否かの判定を行う（ステップＳ１１６）。
【００３６】
ステップＳ１１６において、変動回数カウンタが示す変動回数が、予定されている変動回数以上となっていると判定した場合、パチンコ機１は、確率変動状態を終了し（ステップＳ１１７）、変動回数カウンタをクリア（“０”にリセット）する（ステップＳ１１８）。そして、パチンコ機１は、ステップＳ１１９の処理に移行する。
【００３７】
ステップＳ１１６において、変動回数カウンタが示す変動回数が、予定されている変動回数以上となっていないと判定した場合、あるいは、ステップＳ１０１において、特別図柄表示装置２２ａが図柄を変動表示中であると判定した場合、および、ステップＳ１１８の後、パチンコ機１は、保留球の数を点灯表示し（ステップＳ１１９）、大当たりが発生しているか否かの判定を行う（ステップＳ１２０）。
【００３８】
ステップＳ１２０において、大当たりが発生していないと判定した場合、パチンコ機１は、メインフローに戻り、大当たりが発生していると判定した場合、大入賞口２３を開閉動作させる処理を行う（ステップＳ１２１）。
なお、変動回数カウンタが示す変動回数が、予定されている変動回数以上となった場合には、確率変動状態を終了していることとなるが、そのような動作のパターンに限らず、次回の大当たりが発生するまで確率変動状態を継続することとしてもよい。
【００３９】
そして、パチンコ機１は、遊技制御処理を終了し、メインフローに戻る。
次に、図７に示すメインフローにおいて実行される制御乱数更新処理について説明する。
図７は、パチンコ機１が実行する制御乱数更新処理を示すフローチャートである。
【００４０】
図７において、制御乱数更新処理が開始されると、パチンコ機１は、入力ポート１０４を介して、主制御部１００によって特別図柄始動スイッチ１０１からの信号入力を読み込む処理を行う（ステップＳ２０１）。
そして、パチンコ機１は、始動口２１に遊技球が入賞したか否かの判定を行い（ステップＳ２０２）、始動口２１に遊技球が入賞していないと判定した場合、メインフローに戻る。
【００４１】
一方、ステップＳ２０２において、始動口２１に遊技球が入賞したと判定した場合、パチンコ機１は、保留球の数が“４”以上であるか否かの判定を行い（ステップＳ２０３）、保留球の数が“４”以上であると判定した場合、メインフローに戻る。
ステップＳ２０３において、保留球の数が“４”以上でないと判定した場合、パチンコ機１は、保留球の数を“１”加算し（ステップＳ２０４）、乱数カウンタから乱数値を読み出す（ステップＳ２０５）。
【００４２】
そして、パチンコ機１は、読み出した乱数値を大当たりの抽選結果としてＲＡＭ１１６に格納し（ステップＳ２０６）、メインフローに戻る。
以上のように、本発明を適用したパチンコ機１は、始動口２１に遊技球が入賞し、リーチの演出表示が行われている間、中央役物２２に備えられたハネ２２ｂが所定の開閉動作を行い、ハネ２２ｂが開いている間に中央役物２２に入った遊技球は、始動口２１の直上に設けられた排出口２２ｇから排出される。そして、排出された遊技球は、ほぼ確実に始動口２１に入賞し、保留球としてカウントされる。
【００４３】
したがって、遊技者は、リーチとなった場合にも、保留球を増加させようとするため遊技球の発射を停止することがなく、遊技機の実質的な稼働率が低下し、遊技店に不利益をもたらすことを回避できる。
また、リーチ中にも遊技者に利益をもたらす遊技が行われることから、遊技者にとって、リーチとなった後の遊技興趣が低下する事態を避けることができる。
【００４４】
【発明の効果】
本発明によれば、特殊演出表示が行われている間、入球口が入球可能な状態となり、入球口に遊技球が入ることにより、遊技者は所定の利益を得ることができる。例えば、入球口に入球した遊技球は、始動口の直上に設けられた排出口から排出される。そして、排出された遊技球は、ほぼ確実に始動口に入賞し、保留球としてカウントされるといった利益が与えられる。
【００４５】
したがって、遊技者は、特殊演出表示が行われている場合にも、所定の利益を得ようとし、例えば、保留球を増加させようとするため遊技球の発射を停止することがなく、遊技機の実質的な稼働率が低下し、遊技店に不利益をもたらすことを回避できる。
また、特殊演出表示中にも遊技者に利益をもたらす遊技が行われることから、遊技者にとって、特殊演出表示中の遊技興趣が低下する事態を避けることができる。
【図面の簡単な説明】
【図１】本発明を適用したパチンコ機１の遊技盤面１０を示す図である。
【図２】中央役物２２の構成を示す図である。
【図３】中央役物２２における回転盤２２ｄ付近の拡大図である。
【図４】パチンコ機１の制御系統を示すブロック図である。
【図５】パチンコ機１のメインフローを示す図である。
【図６】パチンコ機１が実行する遊技制御処理を示すフローチャートである。
【図７】パチンコ機１が実行する制御乱数更新処理を示すフローチャートである。
【符号の説明】
１　パチンコ機
１０　遊技盤面
１１　ガイドレール
１２　風車
１３，１４　飾り
１５，１６　通過型チャッカ
１７〜２０　入賞口
２１　始動口
２２　中央役物
２２ａ　特別図柄表示装置
２２ｂ　ハネ
２２ｃ　誘導路
２２ｄ　回転盤
２２ｅ　保持穴
２２ｆ　穴
２２ｇ　排出口
２３　大入賞口
２４　アウト口
１００　主制御部
１０１　特別図柄始動スイッチ
１０２　普通図柄始動スイッチ
１０３　大入賞口スイッチ
１０４　入力ポート
１０５　出力ポート
１０６　可動片ソレノイド
１０７　回転盤用モータ
１０８　ランプ表示装置
１０９　効果音発生装置
１１０　普通図柄表示装置
１１１　始動口用ソレノイド
１１２　大入賞口用ソレノイド
１１３　リセット回路
１１４　電源回路
【図１】
2004135825.tif 000003
【図２】
2004135825.tif 000004
【図３】
2004135825.tif 000005
【図４】
2004135825.tif 000006
【図５】
2004135825.tif 000007
【図６】
2004135825.tif 000008
【図７】
2004135825.tif 000009